(57)【要約】【課題】本発明の課題は、建築工事現場における、足場板とこれに取り付ける巾木を保管、運搬、取り付けが容易なように同一平面状態に搭載した足場板の巾木搭載構造を提供することである。【解決手段】本発明の足場板の巾木搭載構造は、巾木の板を足場板の上面に略同一面を有し略平板状になるように一体に搭載し保管時の積み重ね、運搬を容易とし、足場板の横手方向の端部と巾木の双方に取り付け部を備えて、使用時に巾木を寝かせて取り付けることと、立てて取り付けることを可能とした。【選択図】図１
2013119763.tif 000002
【特許請求の範囲】
【請求項１】
巾木を足場板の上面に略同一面を有し略平板状になるように一体に搭載し保管時の積み重ね、運搬を容易とし、前記足場板の横手方向の端部と前記巾木の双方に取り付け部を備えて、使用時に前記巾木を寝かせて取り付けることと、立てて取り付けることを可能としたことを特徴とする足場板の巾木搭載構造。
【請求項２】
前記巾木上に備えられ、前記足場板への取り付けを行うための取り付け部である巾木取付部は、前記巾木の板状部とは直角の面である直角面部を有し、
縦に立たせて取り付けるためと横に寝かせて取り付けるために前記板状部の前記直角面部を備えた側の端と前記直角面部に前記取り付け部の一方側である第一の取り付け手段を有することを特徴とする請求項１記載の足場板の巾木搭載構造。
【請求項３】
前記直角面部を備えた前記巾木取付部は、前記巾木の横手方向で矩形または三角形または扇形またはこれらと等価な形状または前記巾木の板を1辺として曲がったＬ字状の断面を有し、前記巾木の長手方向に長さを有し、前記足場板は、前記巾木を寝かせて取り付けた場合に前記略平板状の一体構造を可能とするように前記巾木取付部を収容する収容部を供えたことを特徴とする請求項２記載の足場板の巾木搭載構造。
【請求項４】
前記取り付け部は、前記足場板の横手方向での端に備えた折りたたみ可能な先端部を有するピンと、前記巾木のその対応位置に、前記巾木を寝かせて取り付けた場合と立てて取り付けた場合に対応する互いに直角な方向に開いたピン挿入穴又はねじ穴を有することで取り付け、取り外しを容易にしたことを特徴とする請求項１から請求項３のいずれか１つに記載の足場板の巾木搭載構造。
【請求項５】
前記巾木の前記巾木取付部を取り付けた際に、前記前記巾木取付部を押さえ外れ防止を行う外れ止め部を前記足場板の横手方向での端に備えたことを特徴とする請求項２から請求項４のいずれか１つに記載の足場板の巾木搭載構造。
【請求項６】
前記取り付け部が固定のためにボルトとボルト穴、又は、ねじとねじ穴を有することを特徴とする請求項請求項１から請求項５のいずれか１つに記載の足場板の巾木搭載構造。
【請求項７】
前記取り付け部が固定のためにボルト又はねじを有する場合に、ボルト穴又はねじ穴を貫通して水抜き可能としたことを特徴とする請求項請求項６に記載の足場板の巾木搭載構造。
【請求項８】
補強と滑り止めのために前記巾木の板の一面側に凹凸構造を有することを特徴とする請求項請求項１から請求項７のいずれか１つに記載の足場板の巾木搭載構造。
【発明の詳細な説明】
【技術分野】
【０００１】
本発明は、足場板とともに使用する巾木を利用しやすくするための足場板への巾木の搭載構造に関する。
【背景技術】
【０００２】
図９は、工事現場に組まれる足場を示す図である。足場板９０１の上で歩行又は作業が行われるが、作業者の落下防止と工具や器材の落下による事故防止のために、足場板９０１の端に、巾木９０２を取り付けることが行われている。巾木９０２の形状や取り付け手段については多くの提案を見出すことができる。例えば、特許文献１には巾木を斜めにした取り付け構造が示されている。特許文献２では、ワンタッチの簡単な取り付け手段に関するものである。特許文献３、特許文献４では、巾木の取り付け傾斜を変更可能にしたものである。特許文献５では、巾木と隙間埋めカバーを折りたたみ構造に接続したものである。
【０００３】
いずれにしても、その目的とするところを改善する提案となっているが、足場板と巾木を別々に保管し、運搬し、組み立てるということには変わりはない。ほとんどの場合、足場板と巾木は一緒に用いられる事情に関わらず別個に扱っているため、保管や運搬には余分な工数などの負荷が発生している不都合がある。そのため、取り付け手段なども余分な提案も必要になっているともいえる。
【先行技術文献】
【特許文献】
【０００４】
【特許文献１】特開２００３−２１３９２７
【特許文献２】特開２０００−２６５６６０
【特許文献３】特開２００５−２２６３４５
【特許文献４】特開２００５−２２６３５２
【特許文献５】特開２０１１−３２８４７
【発明の概要】
【発明が解決しようとする課題】
【０００５】
本発明の課題は、建築工事現場における、足場板とこれに取り付ける巾木を保管、運搬、取り付けが容易なように同一平面状態に搭載した足場板の巾木搭載構造を提供することである。
【課題を解決するための手段】
【０００６】
本発明の足場板の巾木搭載構造は、巾木の板を足場板の上面に略同一面を有し略平板状になるように一体に搭載し保管時の積み重ね、運搬を容易とし、足場板の横手方向の端部と巾木の双方に取り付け部を備えて、使用時に巾木を寝かせて取り付けることと、立てて取り付けることを可能としたことを特徴としている。
【０００７】
請求項１記載の発明は、足場板の巾木搭載構造であって、巾木を足場板の上面に略同一面を有し略平板状になるように一体に搭載し保管時の積み重ね、運搬を容易とし、前記足場板の横手方向の端部と前記巾木の双方に取り付け部を備えて、使用時に前記巾木を寝かせて取り付けることと、立てて取り付けることを可能としたことを特徴とする。
【０００８】
請求項２記載の発明は、請求項１記載の足場板の巾木搭載構造において、
前記巾木上に備えられ、前記足場板への取り付けを行うための取り付け部である巾木取付部は、前記巾木の板状部とは直角の面である直角面部を有し、
縦に立たせて取り付けるためと横に寝かせて取り付けるために前記板状部の前記直角面部を備えた側の端と前記直角面部に前記取り付け部の一方側である第一の取り付け手段を有することを特徴とする。
【０００９】
請求項３記載の発明は、請求項２記載の足場板の巾木搭載構造において、前記直角面部を備えた前記巾木取付部は、前記巾木の横手方向で矩形または三角形又は扇形またはこれらと等価な形状または前記巾木の板を1辺として曲がったＬ字状の断面を有し、前記巾木の長手方向に長さを有し、前記足場板は、前記巾木を寝かせて取り付けた場合に前記略平板状の一体構造を可能とするように前記巾木取付部を収容する収容部を供えたことを特徴とする。
【００１０】
請求項４記載の発明は、請求項１から請求項３のいずれか１つに記載の足場板の巾木搭載構造において、前記取り付け部は、前記足場板の横手方向での端に備えた折りたたみ可能な先端部を有するピンと、前記巾木のその対応位置に、前記巾木を寝かせて取り付けた場合と立てて取り付けた場合に対応する互いに直角な方向に開いたピン挿入穴又はねじ穴を有することで取り付け、取り外しを容易にしたことを特徴とする。
【００１１】
請求項５記載の発明は、請求項２から請求項４のいずれか１つに記載の足場板の巾木搭載構造において、前記巾木の前記巾木取付部を取り付けた際に、前記前記巾木取付部を押さえ外れ防止を行う外れ止め部を前記足場板の横手方向での端に備えたことを特徴とする。
【００１２】
請求項６記載の発明は、請求項請求項１から請求項５のいずれか１つに記載の足場板の巾木搭載構造において、前記取り付け部が固定のためにボルトとボルト穴、又は、ねじとねじ穴を有することを特徴とする。
【００１３】
請求項７記載の発明は、請求項請求項６に記載の足場板の巾木搭載構造において、前記取り付け部が固定のためにボルト又はねじを有する場合に、ボルト穴又はねじ穴を貫通して水抜き可能としたことを特徴とする。
【００１４】
請求項８記載の発明は、請求項請求項１から請求項７のいずれか１つに記載の足場板の巾木搭載構造において、補強と滑り止めのために前記巾木の板の一面側に凹凸構造を有することを特徴とする。
【発明の効果】
【００１５】
以上の様に構成されているので、本発明による足場板の巾木搭載構造は、略平板上の足場板・巾木構造により、積み重ね保管が容易且つコンパクト、１回の運搬で足場板、巾木が同時に運搬でき、取り付けでは、足場板に巾木が簡単に取り付けることができる。
【図面の簡単な説明】
【００１６】
【図１】本発明の足場板の巾木搭載構造の一実施態様を示す図である。
【図２】本発明の足場板の巾木搭載構造において、足場板への巾木の取り付け態様を示す図である。
【図３】本発明の足場板の巾木搭載構造において、足場板への巾木の取り付け部を示す図である。
【図４】本発明の足場板の巾木搭載構造において、足場板への巾木のネジ止とは異なる取り付け態様の詳細を示す図である。
【図５】本発明の足場板の巾木搭載構造の他の実施態様を示す図である。
【図６】本発明の足場板の巾木搭載構造の一体構造の例を断面で示す図である。
【図７】本発明の足場板の巾木搭載構造において、巾木の板の補強構造の一実施態様を示す図である。
【図８】本発明の足場板の巾木搭載構造において、足場板間の隙間を埋めるように巾木を寝かせて取り付けた一実施態様を示す図である。
【図９】工事現場に組み立てられる足場を示す図である。
【発明を実施するための形態】
【００１７】
本発明の足場板の巾木搭載構造は、保管や運搬時には巾木の板を足場板の上面に略同一面になるように一体に搭載し、全体の足場板・巾木の形状も通常の足場板と同様に略平板上にし、更に、足場板と巾木の双方に使用時に巾木を寝かせて取り付ける以外に、立てて取り付けることも可能となるように、足場板への巾木取り付け部を備えたことを特徴とする。例えば、巾木の取り付け部を長方体形状にした場合には、この長方体の凸部が足場板の端に設けた凹部に嵌ることで、全体の足場板・巾木の形状も通常の足場板と同様に略平板状にしている。以下、図面に沿って実施例で説明する。
【００１８】
図１は、本発明の足場板の巾木搭載構造の一実施態様を示す図である。１−Ａにおいて、
本発明の足場板の巾木搭載構造１００において、巾木を搭載した足場板の平面図（ｃ）、巾木を搭載した足場板の立面図（ｂ）、巾木を搭載した足場板の側面図（ａ）となっている。
足場板１１０の上には、巾木１２０が、この例では、ボルト１３０で取り付けられている。
１−Ｂにおいて、足場板１１０と巾木１２０を取り外して離れた状態で示す。両者とも長手方向には切れ目１４０を入れて短くして描いてある。巾木１２０は、巾木の役割をする板状部１２１の端に、足場板１１０への取り付けを行うための取り付け部である巾木取付部１２４は、縦に立たせて取り付けるためと横に寝かせて取り付けるために板状部１２１とは直角の面である直角面部１２２を有し、板状部１２１と直角面部１２２に取り付けのための第一の取り付け手段１２３を有する。足場板１１０は、作業者が踏むための踏み板１１１とその長さ方向の端に取り付けられ、単管等に取り付けるための取り付け具１１２を有し、踏み板１１１の側面に近い端には、第一の取り付け手段１２３と協働して巾木１２０を取り付けるための第二の取り付け手段１１３を備えている。この例では、巾木１２０を寝かせて足場板１１０に取り付けた場合に略同一平面になるようにするため、板状部１２１の厚さと同じ厚さの埋め板１１４を備えているが、板状部１２１の厚さが薄い場合は、無くともかまわない。尚、１−Ａの（Ｃ）の右側の矢印と１−Ｂの矢印は、同じ方向を示していて、足場板の長手方向を向いている。矢印に直角な方向は、足場板の横手方向と板厚方向となっている。
【００１９】
図２は、本発明の足場板の巾木搭載構造において、足場板への巾木の取り付け態様を
示す図である。
２−Ｂでは、足場板１１０の上に巾木１２０が搭載され、略平板状になっている。そのため、保管時の積み重ねに好都合であり、運搬時も一度の運搬で足場板１１０と巾木１２０が同時に運べる利点がある。巾木１２０の取り付け方には、２−Ａに示すように、足場板１１０の隙間を埋める取り付け状態２０１と巾木１２０を立てた取り付け状態２０２が可能である。このためには、第一の取り付け手段１２３と第二の取り付け手段１１３の組が２組あって、互いに直角になっている。
【００２０】
図３は、本発明の足場板の巾木搭載構造において、足場板への巾木の取り付け部を示す図である。この例では、巾木１２０の板状部１２１を立てるように取り付けている。足場板１１０の側面に備えられた第二の取り付け手段１１３としてのねじ穴に、巾木１２０側にある第一の取り付け手段１２３としてのねじ穴を合わせ、ボルト１３０で締め付けている。尚、巾木１２０の板状部１２１を横に寝かせて取り付けるための第二の取り付け手段１１３としてのねじ穴は、雨などの水が溜まらないように突き抜けた構造が好ましい。足場板１１０の側面の端には、突き出し部１１５が有って、巾木１２０の外れ止めになっていることが好ましい。
【００２１】
図４は、本発明の足場板の巾木搭載構造において、足場板への巾木のネジ止とは異なる取り付け態様の詳細を示す図である。４−Ａ、４−Ｂにおいて、
足場板１１０の側面に近い端には、第二の取り付け手段１１３としてのピン４０１が備えられ、巾木１２０のピン４０１に対応する位置には、板状部１２１と直角面部１２２の各々に直角にピン４０１を挿入するための第一の取り付け手段１２３としての穴４０２が開いている。この例では、ピン４０１の先端が折り込みノブ４０３になっているので、挿入後に折り込みノブ４０３を折り込むと固定ができる。折り込みノブ４０３の代わりにボルトナット構造で止めてもよい。保管や運搬時には、巾木１２０が足場板１１０の上に４−Ｄに示すように略同一平面をなすように乗っかり固定されている。足場板１１０を足場に取り付けた使用状態では、４−Ｅのような巾木板１２１を立てた状態で取り付けられるか、４−Ｃのように外側に横に寝かせて取り付けられる。４−Ｃの場合は、足場板間の隙間を塞ぐことができる。尚、ピン４０１は立てた状態に備える以外にも横に備えても良い。
【００２２】
図５は、本発明の足場板の巾木搭載構造の他の実施態様を示す図である。図１から図４までは、直角面部１２２を形成する巾木１２０の巾木取付部１２４の断面形状が矩形であったが、図５においては、巾木取付部１２４が板状であって、板状部１２１とはＬ字を形成するように曲がって取り付いているものである（５−Ａ、５−Ｂ）。５−Ｂには、足場板１１０に巾木１２０を立てた状態で取り付けた状態を示す。５−Ａでは、巾木１２０を寝かせて取り付いた状態から寝かせたまま外した状態を示す。
５−Ｃ、５−Ｄでは、巾木１２０が板状部１２１のみとなった特別な場合である。５−Ｄでは、巾木１２０を立てた状態で取り付けた状態をしめし、５−Ｃでは、寝かせたまま外した状態を示す。
【００２３】
図６は、本発明の足場板の巾木搭載構造の一体構造の例を断面で示す図である。
巾木１２０と足場板１１０において、６−Ａでは、巾木取付部１２４が矩形断面であり、図１から図４で示したものである。巾木取付部１２４を収容する足場板１１０部の収容部も矩形のくぼみを有している。６−Ｂ、６−Ｃでは、巾木取付部１２４が各々三角形、扇形の断面であり、足場板１１０部の収容部もこれを収容できる形状を有する。６−Ｄでは、図５の５−Ａ、５−Ｂに示すものであって、巾木板と巾木取付部１２４はＬ字形状をしている。巾木１２０と足場板１１０の両者に巾木取付部１２４を収容する構造があるため、特に横に寝かせた取り付けにおいて、略同一面になるように一体に搭載することを可能としている。
【００２４】
図７は、本発明の足場板の巾木搭載構造において、巾木の板の補強構造の一実施態様を示す図である。巾木１２０の板状部１２１は、巾木として立てて使わないその他の用途では、作業者に踏まれる可能性があるので、補強と滑り止めをかねて一面側に凹凸構造７０１を有することが望ましい。一部を拡大して断面で凹凸構造７０１を示す。
【００２５】
図８は、本発明の足場板の巾木搭載構造において、足場板間の隙間を埋めるように巾木を寝かせて取り付けた一実施態様を示す図である。図２の２−Ａの２０１、図４の４−Ｃに示す取り付けに対応している。足場板１１０の間の隙間を埋めるように巾木１２０の板状部１２１が寝かせて取り付けられている。
【００２６】
尚、足場板１枚に対して、巾木を１枚構成で説明してきたが、複数の巾木に小分けしてもかまわないことは当然である。又、固定具の数も巾木ごとに２個と限定されず更に複数個有ってもよい。
【産業上の利用可能性】
【００２７】
以上のように本発明による巾木が保管時や運搬時は、足場板上に巾木の平板が略同一平面を形成するように搭載されているので、積載が容易で、１回の運搬でよく、使用時には簡単にいろいろの状態で取り付けられるので、産業上の利用性が極めて大きい。
【符号の説明】
【００２８】
１００  足場板の巾木搭載構造
１１０、９０１  足場板
１１１  踏み板
１１２  取り付け具
１１３  第二の取り付け手段
１１４  埋め板
１１５  突き出し部
１２０、９０２  巾木
１２１  板状部
１２２  直角面部
１２３  第一の取り付け手段
１２４  巾木取付部
１３０  ボルト
１４０  切れ目
２０１  隙間を埋める取り付け状態
２０２  立てた取り付け状態
４０１  ピン
４０２  穴
４０３  折り込みノブ
７０１  凹凸構造
【図１】
2013119763.tif 000003
【図２】
2013119763.tif 000004
【図３】
2013119763.tif 000005
【図４】
2013119763.tif 000006
【図５】
2013119763.tif 000007
【図６】
2013119763.tif 000008
【図７】
2013119763.tif 000009
【図８】
2013119763.tif 000010
【図９】
2013119763.tif 000011